(57)【要約】【課題】ディスプレイに出力される映像をより見やすくする。【解決手段】映像信号処理回路１０は、入力された映像信号の輝度を検出する輝度検出回路１８と、輝度検出回路１８の検出結果に応じて各色信号のコントラスト比を変化させるコントラスト調整回路２０と、を含む。これにより、例えば輝度が低い場合にはその輝度に応じてコントラスト比を高くすることができ、より鮮明な映像が得られる。【選択図】図１
2005057621.tif 000002
【特許請求の範囲】
【請求項１】
入力された映像信号の輝度を検出する輝度検出部と、
前記輝度検出部の検出結果に応じて各色信号のコントラスト比を変化させるコントラスト調整部と、
を含む映像信号処理回路。
【請求項２】
前記コントラスト調整部は、前記輝度検出部によって検出された輝度が所定の閾値より低い場合にコントラスト比の調整を行うことを特徴とする請求項１に記載の映像信号処理回路。
【請求項３】
前記閾値を可変設定する閾値可変機構を備えることを特徴とする請求項２に記載の映像信号処理回路。
【請求項４】
前記コントラスト調整部は、前記輝度検出部によって検出された輝度が低いほどコントラスト比が高くなるようにコントラスト比の調整を行うことを特徴とする請求項１〜３のうちいずれか一つに記載の映像信号処理回路。
【請求項５】
輝度に対応するコントラスト比を可変設定するコントラスト比可変機構を備えることを特徴とする請求項４に記載の映像信号処理回路。
【発明の詳細な説明】
【技術分野】
【０００１】
本発明は、映像信号（複合映像信号）から各色信号を取得する映像信号処理回路に関する。
【背景技術】
【０００２】
ディスプレイのコントラスト比が低い場合、暗い映像がわかりにくくなってしまう場合がある。例えば、液晶ディスプレイの場合、ブラウン管型ディスプレイに比べてコントラスト比が低いため、暗い映像がわかりにくくなってしまう場合が多い。なお、従来の映像信号処理回路としては例えば非特許文献１に開示されるものが知られている。
【０００３】
【非特許文献１】日本放送協会編，「ＮＨＫテレビ技術教科書（上）」，平成元年４月１０日
【発明の開示】
【発明が解決しようとする課題】
【０００４】
ディスプレイに出力される暗い映像をより鮮明にするには、コントラスト比を高くすればよい。液晶ディスプレイの場合にも、これは有効な手段の一つである。
【０００５】
しかしながら、暗い映像が鮮明となるようにコントラスト比を高くする調整を行うと、逆に明るい映像において、そのコントラスト比では白色側で潰れてしまい、わかりにくくなってしまう場合がある。
【課題を解決するための手段】
【０００６】
本発明にかかる映像信号処理回路は、入力された映像信号の輝度を検出する輝度検出部と、上記輝度検出部の検出結果に応じて各色信号のコントラスト比を変化させるコントラスト調整部と、を含む。
【０００７】
また、上記本発明にかかる映像信号処理回路では、上記コントラスト調整部は、上記輝度検出部によって検出された輝度が所定の閾値より低い場合にコントラスト比の調整を行うのが好適である。
【０００８】
また、上記本発明にかかる映像信号処理回路では、上記閾値を可変設定する閾値可変機構を備えるのが好適である。
【０００９】
また、上記本発明にかかる映像信号処理回路では、上記コントラスト調整部は、上記輝度検出部によって検出された輝度が低いほどコントラスト比が高くなるようにコントラスト比の調整を行うのが好適である。
【００１０】
また、上記本発明にかかる映像信号処理回路では、輝度に対応するコントラスト比を可変設定するコントラスト比可変機構を備えるのが好適である。
【発明を実施するための最良の形態】
【００１１】
以下、本発明の好適な実施形態について図面を参照して説明する。図１は、本発明の実施形態にかかる映像信号処理回路１０のブロック図、また図２は、輝度検出回路１８の具体例を示す図である。
【００１２】
輝度信号処理回路１２は、映像信号（複合映像信号）から分離された輝度信号（Ｙ）に所定の処理（例えば増幅やフィルタリング等）を施す公知の回路である。
【００１３】
色復調回路１４は、映像信号から分離された搬送色信号（ＥC）から色差信号（ＥR−ＥY，ＥG−ＥY，ＥB−ＥY）を取得する。この色復調回路１４も公知の回路であり、２軸復調方式や３軸復調方式によるものが知られている。
【００１４】
色信号出力回路１６は、色復調回路１４で取得された色差信号と輝度信号処理回路１２で取得された輝度信号とを合成して、各色信号（原色信号：Ｒ，Ｇ，Ｂ）を取得する公知のマトリクス回路である。
【００１５】
輝度検出回路１８は、入力された映像信号の輝度を検出する回路である。図１の例では、輝度信号処理回路１２より出力された輝度信号（Ｙ’）について、所定の検出期間（以下、この期間を検出期間とする）における平均値（または積分値）を取得する回路として設けられている。そして図２に示すように、輝度検出回路１８は、例えば、レジスタンスＲとキャパシタンスＣとを含むいわゆるＲＣフィルタ（ローパスフィルタ）として構成することができる。この場合、検出期間における輝度信号（Ｙ’）の直流成分（平均値または積分値）が、その検出結果（電圧）となる。なお、図２の例では、キャパシタンスＣによって時定数すなわち上記検出期間が定まる。したがって、映像信号処理回路１０を一つの素子（例えばＩＣ）として構成する場合には、このキャパシタンスＣを例えば外付けコンデンサとすれば、それを容量の異なるものに適宜交換することにより、検出期間を比較的容易に可変設定することができるようになる。
【００１６】
コントラスト調整回路２０はアンプ２２（図３）を有しており、色信号出力回路１６から出力された各色信号（Ｒ，Ｇ，Ｂ）のゲインを制御することで、コントラスト比の調整を行う。アンプ２２のゲインが高い場合はコントラスト比が高くなり、逆に低い場合はコントラスト比が低くなる。
【００１７】
ここで、コントラスト調整回路２０の具体的な構成および動作の一例について図面を参照して説明する。図３は、コントラスト調整回路２０の一構成例を示す図、また図４は、コントラスト調整回路２０における輝度とゲイン（コントラスト比）との相関関係の一例を示す図である。なお、図３のコントラスト調整回路２０は、一つの色信号についての構成であり、実際には図３と同様の回路構成が色信号の各々について設けられる。また図４では、横軸を映像信号の輝度ｙ（輝度検出結果電圧：Ｖｓ）とし、縦軸をアンプ２２のゲイン（コントラスト比）としている。
【００１８】
図３に示すように、ＩＣ−ＢＵＳ３０からのコントラスト比の指示信号（ディジタルデータ）は、Ｄ／Ａコンバータ（ＤＡＣ）２４でアナログ信号（電圧）Ｖ０に変換され、オペアンプ２６に入力される。オペアンプ２６は、そのアナログ信号の電圧Ｖ０と、参照信号の電圧Ｖｒｅｆ１とを比較して、その差分に応じたゲイン制御信号を出力する。そして、アンプ２２のゲインは、ゲイン制御信号に応じて変化するように構成されている。このような構成により、コントラスト比の指示（設定）に応じたアンプ２２のゲインすなわちコントラスト比が実現される。
【００１９】
オペアンプ２６の参照信号の電圧Ｖｒｅｆ１は、輝度検出回路１８の出力電圧Ｖｓに応じて変化するようになっている。すなわち、輝度検出回路１８の出力電圧Ｖｓはオペアンプ２８に入力され、オペアンプ２８は、その出力電圧Ｖｓと、参照信号の電圧Ｖｒｅｆ２とを比較して、その差分に応じた電圧制御信号Ｖ２を出力する。そして、オペアンプ２６の参照信号の電圧Ｖｒｅｆ１が、電圧制御信号Ｖ２に応じて変化するように構成されている。このような構成により、輝度検出回路１８の検出結果、すなわち映像信号の輝度に応じたアンプ２２のゲインすなわちコントラスト比が実現される。
【００２０】
ここで、オペアンプ２８の出力すなわち電圧制御信号の電圧Ｖ２は、参照電圧Ｖｒｅｆ２が輝度検出回路１８の出力電圧Ｖｓより高い場合において、その差分が大きいほど（すなわち参照電圧Ｖｒｅｆ２が低いほど）高くなる。また、参照電圧Ｖｒｅｆ１は、電圧制御信号の電圧Ｖ２が高いほど、低くなるように構成される。そして、オペアンプ２６の出力すなわちゲイン制御信号の電圧は、電圧Ｖ０が参照電圧Ｖｒｅｆ１より高い場合において、その差分が大きいほど（すなわち当該参照電圧Ｖｒｅｆ１が低いほど）高くなる。このような構成により、図４に示すような輝度ｙとゲインとの相関関係が得られる。すなわち、この例では、オペアンプ２８の参照電圧Ｖｒｅｆ２に対応する所定の閾値（輝度の閾値）ｙｔｈより映像信号の輝度（輝度検出結果）ｙが低い領域で、アンプ２２のゲインが大きくなるとともに、さらにその領域では、映像信号の輝度ｙが低いほど、アンプ２２のゲインが大きくなる。つまり、輝度が低い場合すなわち暗い映像においてコントラスト比が高くなり、映像の識別性が向上するのである。さらに、輝度が高い場合すなわち明るい映像側では、コントラスト比をそれより低くしているから、白色側での潰れを防ぎ、暗い映像と明るい映像との両方でより鮮明な映像を得ることができる。なお、図４の例では、映像信号の輝度ｙが閾値ｙｔｈより高い場合（＝参照電圧Ｖｒｅｆ２が電圧Ｖ０より高い場合）は、コントラスト比（すなわちアンプ２２のゲイン）を一定としているが、この領域におけるコントラスト比は、コントラスト比の指示信号によって矢印Ａ３のように可変設定することができる。
【００２１】
さらに、オペアンプ２８の参照電圧Ｖｒｅｆ２は、可変設定自在とするのが好適である。これにより、図４の矢印Ａ１に示すように、コントラスト比の調整を行う範囲すなわち閾値ｙｔｈが変化することになる。これを実現するための構成としては、一例をあげれば、図３に示すように、参照電圧Ｖｒｅｆ２の設定値を指示する信号（閾値を設定するディジタル信号）をＩＣ−ＢＵＳ３０からＤＡＣ３２に入力してアナログ信号に変換し、その信号を参照電圧Ｖｒｅｆ２を変化させる素子（例えばトランジスタ）に入力するように構成すればよい（これが閾値可変機構の一例である）。こうすることで、ディスプレイの種類や使用状況等に応じて、コントラスト比の調整を行う輝度範囲を任意に設定することができるようになる。
【００２２】
また、オペアンプ２８のゲインについても、可変設定自在とするのが好適である。これにより、図４の矢印Ａ２に示すように、コントラスト比の調整を行う範囲において輝度に対応するコントラスト比（この場合は輝度に対するコントラスト比の変化率）が変化することになる。これを実現するための構成としては、一例をあげれば、図３に示すように、オペアンプ２８用の定電流源の電流値Ｉ２の設定値を指示する信号（コントラスト変化率を設定するディジタル信号）をＩＣ−ＢＵＳ３０からＤＡＣ３４に入力してアナログ信号に変換して、その信号を電流値Ｉ２を変化させる素子（例えばトランジスタ）に入力するように構成すればよい（これがコントラスト比可変機構の一例である）。こうすることで、コントラスト比の調整を行う輝度範囲において、ディスプレイの種類や使用状況等に合わせて、より適切なコントラスト比を得ることができる。
【００２３】
以上、本発明の好適な実施形態について説明したが、本発明は上記実施形態に限定されるものではない。例えば、上記実施形態では、各色信号のアンプのゲインを図３に示す回路により、図４に示すような輝度とコントラスト比との相対関係となるように制御したが、これと等価あるいは同様の他の回路構成によってアンプのゲインを制御してもよい。また図４以外の相対関係となるようにしてもよい。すなわち、図４の例では、輝度が閾値より低い場合は、コントラスト比を直線的（線形的）に変化させたが、これを曲線的あるいは段階的に変化させたり、あるいは輝度範囲に応じて変化率を変えたりしてもよい。また、輝度が閾値より高い場合（すなわち明るい画像の場合）においても、適宜コントラスト比を変化させるように構成することももちろん可能である。
【図面の簡単な説明】
【００２４】
【図１】本発明の実施形態にかかる映像信号処理回路の一構成例を示すブロック図である。
【図２】本発明の実施形態にかかる輝度検出回路の一構成例を示す図である。
【図３】本発明の実施形態にかかるコントラスト比調整回路の一構成例を示す図である。
【図４】図３のコントラスト比調整回路による輝度とコントラスト比（各色信号のアンプのゲイン）との相関関係の一設定例を示す図である。
【符号の説明】
【００２５】
１０  映像信号処理回路、１２  輝度信号処理回路、１４  色復調回路、１６  色信号出力回路、１８  輝度検出回路、２０  コントラスト調整回路、２２  アンプ、２４，３２，３４  Ｄ／Ａコンバータ（ＤＡＣ）、２６，２８  オペアンプ、３０  ＩＣ−ＢＵＳ。
【図１】
2005057621.tif 000003
【図２】
2005057621.tif 000004
【図３】
2005057621.tif 000005
【図４】
2005057621.tif 000006